(57)【特許請求の範囲】
【請求項１】
選択パルス及びこの選択パルスの幅よりも狭く反対極性である補償パルスの結合よりなる走査電極駆動信号の前記選択パルスと前記補償パルスを走査電極に直交関数的に順次印加することにより、隣接する走査電極に印加される走査電極駆動信号の前記選択パルスが互いに重畳されるように走査電極を駆動する走査電極駆動段階と、
電圧レベルの大きさが同一でその極性が互いに反対であるパルスよりなるデータ電極駆動信号を液晶パネルのデータ電極に印加するが、前記隣接する走査電極に印加される前記走査電極駆動信号の各選択パルスの区間に前記データ電極駆動信号を印加する場合、前記データ電極駆動信号を、前記選択パルスが互いに重畳される重畳区間内で前記データ電極駆動信号が所定の中間電圧を保ってから変わるように印加して、前記重畳区間での前記データ電極駆動信号のパルスの電圧レベルの変化は必ず前記重畳区間内で前記所定の中間電圧レベルを経るように前記データ電極を駆動するデータ電極駆動段階と、
を含むことを特徴とする液晶表示素子の駆動方法。
【請求項２】
前記走査電極駆動段階において、前記走査電極駆動信号の非選択時の電圧レベルを基準として前記選択パルスの電圧レベルの絶対値は前記補償パルスの電圧レベルの絶対値と同じであることを特徴とする請求項１記載の液晶表示素子の駆動方法。
【請求項３】
前記データ電極駆動段階において、前記データ電極駆動信号の所定の中間電圧レベルは前記走査電極駆動信号の非選択時の電圧レベルと同一のレベルであることを特徴とする請求項１記載の液晶表示素子の駆動方法。
【請求項４】
前記データ電極駆動段階において、前記走査電極駆動信号の非選択時の電圧レベルを基準として前記データ電極駆動信号の正及び負パルスの電圧レベルの絶対値は前記走査電極駆動信号の選択パルス及び補償パルスの電圧レベルの絶対値よりも小さいことを特徴とする請求項１記載の液晶表示素子の駆動方法。
【請求項５】
前記走査電極駆動段階において、前記走査電極駆動信号は選択パルス及び補償パルスの信号全体期間の半分ずつ重畳させることを特徴とする請求項１記載の液晶表示素子の駆動方法。
【発明の詳細な説明】
【０００１】
【発明の属する技術分野】
本発明は、走査電極の選択率を増加することができ、データ電極駆動信号の電圧の大きさの変化率を大幅に減少させることができる、液晶表示素子の駆動方法に関する。
【０００２】
【従来の技術】
マトリックス液晶表示素子は、表示装置の走査線を制御する走査電極と、各走査線が選択された時に各画素上のデータ表示を制御するデータ電極とより構成される。かかるマトリックス液晶表示装置の現在の駆動方式としては、標準的に、マルチプレックシングによる線順次駆動方式を使用した電圧平均化法が用いられている。しかしながら、この方式は、液晶の応答速度が遅い場合、即ち、画像のコントラストを失うことのない、液晶表示の反応時間が４００ｍｓｅｃ程度の場合にのみ使用され得る。従って、コンピュータのマウス移動速度に対応でき、動画像の表示速度に対応できる等、高速応答特性が求められる分野では、多重線走査（ＭｌＳ：Ｍｕｌｔｉ−ｌｉｎｅ  Ｓｃａｎｎｉｎｇ）方式或いはアクチブアドレシング（ＡＡ：Ａｃｔｉｖｅ  Ａｄｄｒｅｓｓｉｎｇ）  方式が用いられている。
【０００３】
線順次駆動方式は、１ラインずつ順次、走査電極に選択パルスを印加して駆動する方式である。図１Ａ乃至図１Ｄは、線順次駆動方式を利用して、２×６画素より構成された単純なマトリックス液晶表示素子を電圧平均化法により駆動する場合の、走査電極及びデータ電極の駆動信号により印加される画素信号の波形図である。線順次駆動方式は、図１Ａに示されたように、走査電極１，２，３，４，５，６に電圧Ｖｓのパルス（走査電極駆動信号）が順次印加されると共に、図１Ｂに示されたように、データ電極１，２に電圧＋Ｖｄ，−Ｖｄのパルス（データ電極駆動信号）が印加される。したがって、図１Ｃに示されたように、電圧ＶｓとＶｄの平均化された電圧により形成された画素信号（電圧Ｖｄ，２Ｖｄ，３Ｖｄ，−Ｖｄ）により、図１Ｄに示されたようにマトリックス液晶表示素子が駆動される。この際、各走査電極の選択率が、図１Ａに示されたように、表示装置の駆動デューティ比（Ｔ／Ｎ）により決まるので、液晶表示素子の応答速度が速くなるとフレーム応答現象により画素のコントラストが減る。従って、マウスのような移動速度の速い画像表示を求める機器への応用が困難であるという問題を生じる。
【０００４】
さらに、データ電極に印加される駆動信号の電圧が大きいので、この電圧をスイッチングする際に選択されていない走査電極にまで微分波形を誘起させてしまい、画像にクロストークを引き起こすという問題もある。
【０００５】
ＭＬＳ或いはＡＡ方式は、図２に示されたように、複数個の走査電極が同時に選択されて駆動される方式である。図２は、ＡＡ方式を適用して液晶表示素子を駆動する場合の、走査電極及びデータ電極に印加される信号を説明するための図である。この図に示されたように、ＡＡ方式は複数個の走査電極（Ｆ１〜Ｆ５）が時刻（ｔ）に対して同時に選択されて駆動される方式である。この際、データ電極Ｇ１にはＧ１（ｔ）＝−ｃＦ１（ｔ）＋ｃＦ２（ｔ）−ｃＦ３（ｔ）＋ｃＦ４（ｔ）＋ｃＦ５（ｔ）で示されるデータ電極駆動信号が時刻（ｔ）に印加されて二つの画素がオンとなる。このように、複数個の電極を同時に駆動することにより、液晶表示素子のデューティ比を増やすことができ、よって高速応答が求められる液晶表示素子に適用できるが、多くのデータ電圧レベルを必要とし、また現在の駆動環境では画面データの記憶装置及び演算回路などを追加する必要があるので駆動装置が高コストになる。
【０００６】
【発明が解決しようとする課題】
本発明の目的は、前記のような問題点を改善することであり、走査電極の選択率を増加することができ、データ電極駆動信号の電圧の大きさの変化率を大幅に減少させることができ、選択されていない走査電極に誘起される微分波形の電圧を減少させて、画像のクロストークを減らし得る液晶表示素子の駆動方法を提供することである。
【０００７】
【課題を解決するための手段】
上記目的を達成するための本発明にかかる液晶表示素子の駆動方法は、選択パルス及びこの選択パルスの幅よりも狭く反対極性である補償パルスの結合よりなる走査電極駆動信号の前記選択パルスと前記補償パルスを走査電極に直交関数的に順次印加することにより、隣接する走査電極に印加される走査電極駆動信号の前記選択パルスが互いに重畳されるように走査電極を駆動する走査電極駆動段階と、電圧レベルの大きさが同一でその極性が互いに反対であるパルスよりなるデータ電極駆動信号を液晶パネルのデータ電極に印加するが、前記隣接する走査電極に印加される前記走査電極駆動信号の各選択パルスの区間に前記データ電極駆動信号を印加する場合、前記データ電極駆動信号を、前記選択パルスが互いに重畳される重畳区間内で前記データ電極駆動信号が所定の中間電圧を保ってから変わるように印加して、前記重畳区間での前記データ電極駆動信号のパルスの電圧レベルの変化は必ず前記重畳区間内で前記所定の中間電圧レベルを経るように前記データ電極を駆動するデータ電極駆動段階と、を含むことを特徴とする。
【０００８】
本発明において、前記走査電極駆動段階で、前記走査電極駆動信号の非選択時の電圧レベルを基準として前記選択パルスの電圧レベルの絶対値は前記補償パルスの電圧レベルの絶対値と同一であることが望ましい。前記データ電極駆動段階で、前記データ電極駆動信号の所定の中間電圧レベルは前記走査電極駆動信号の非選択時の電圧レベルと同一レベルであることが望ましい。前記データ電極駆動段階で、前記走査電極駆動信号の非選択時の電圧レベルを基準として前記データ電極駆動信号の正及び負パルスの電圧レベルの絶対値は前記走査電極駆動信号の選択パルス及び補償パルスの電圧レベルの絶対値よりも小さいことが望ましい。前記走査電極駆動段階で、前記走査電極駆動信号は選択パルス及び補償パルスの信号全体期間の半分ずつ重畳させることが望ましい。
【０００９】
【発明の実施の形態】
図３Ａ乃至図３Ｃに示されたように、３個の＋Ｖｓパルス電圧と１個の−Ｖｓパルス電圧とより構成された走査電極駆動信号は全体選択期間の半分即ち、１ラインタイムずつ二走査電極（図３Ｃの走査電極番号Ｎ−１，Ｎ，Ｎ＋１，Ｎ＋２，Ｎ＋３の内２個ずつ）で重畳されるように駆動する。例えば、（１，２）、（２，３）、（３，４）…の順である。従って、全ての走査電極は常に隣接した電極と重畳されて駆動され、一つの電極のみが独立して駆動されることはない。このように、走査電極に印加される走査電極駆動信号は直交関数（ｏｒｔｈｏｇｏｎａｌ  ｆｕｎｃｔｉｏｎｓ）を成すことになる。
【００１０】
かかる走査電極駆動方式と共にデータ電極駆動信号は、図３Ｂに示されたように、電圧変化時、常に基準電圧（Ｖ０）の中間電圧を経て変わる。従って、データ電圧の変化は従来の線順次の駆動方式のように２Ｖｄ変わるのではなくＶｄずつ変わる。従って、隣接した非選択走査電極に誘起される微分波形が相対的に小さくなって画像に生じるクロストークが著しく減る。
【００１１】
さらに他の実施例として、図３Ａには走査電極駆動信号がいずれも「ハイ」−「ハイ」−「ハイ」−「ロー」で構成されているが、電圧変化の均衡保持（データ電極に微分波形を発生させる影響を極小化）のために「ロー」−「ロー」−「ロー」−「ハイ」の構成を適切に組み合わせて用いることもできる。
【００１２】
【発明の効果】
以上説明したように、本発明による液晶表示素子の駆動方法は、隣接した走査電極に、印加される走査電極駆動信号の一定部分が重畳されるようにし、データ電極に、その重畳期間中にデータ電極駆動信号が中間電圧レベルを保持してから変わるように印加し、前記走査電極駆動信号を周期的に隣接した走査電極に印加することで、走査電極の選択率を高めると同時に微分波形の発生を最小化して画像に生じるクロストークを減らし得る。
【図面の簡単な説明】
【図１】  従来の線順次駆動方式の走査電極駆動信号とデータ電極駆動信号及び画素に印加される信号の波形を示す図である。
【図２】  従来のアクチブアドレス駆動方式の走査電極及びデータ電極の駆動方式を示す図である。
【図３】  本発明により走査電極を駆動する場合の走査電極駆動信号及びデータ電極駆動信号の波形を示す図である。
【図１】
0003643627.tif 000002
【図２】
0003643627.tif 000003
【図３】
0003643627.tif 000004